(57)【要約】【課題】この発明は、磯や防波堤などで、小魚を使用し泳がせながらアオリイカを釣る為の移動式仕掛で、作動が確実であり、またアオリイカの針の外れ難い場所に掛かる他に、餌持ちも良く、また針への警戒心を減らしヒット率を上げる仕掛けを提供する。【解決手段】釣り糸（２）を二系統として、一方の釣り糸（２）を弛めた状態にして、その部分に弾力部（７）を付ける、そして長さ調節管（３）に通し仮止めまたは固定し餌固定具（５）を付けた、またもう一方の釣り糸（２）は、餌固定具（５）側を通した長さ調節管（３）のもう片方に通しイカ掛け針（１）を付けた。【選択図】図１
2010158231.tif 000002
【特許請求の範囲】
【請求項１】
釣り糸（２）を二系統として、一方の釣り糸（２）を弛めた状態にして、その部分に弾力部（７）を付ける、そして長さ調節管（３）に通し仮止めまたは固定し餌固定具（５）を付けた、またもう一方の釣り糸（２）は、餌固定具（５）側を通した長さ調節管（３）のもう片方に通しイカ掛け針（１）を付けた、または釣り糸（２）を弛めた状態としないで、釣り糸（２）は切断し弾力部（７）の両端に付けて全体を形成したことを特徴とするイカの掛け針仕掛。
【発明の詳細な説明】
【技術分野】
【０００１】  この発明は、磯や防波堤などで、小魚を使用し泳がせながらアオリイカを釣る為の移動式仕掛で、作動が確実であり、またアオリイカの針の外れ難い場所に掛かる他に、餌持ちも良く、また針への警戒心を減らしヒット率を上げる仕掛けに関するものである。
【背景技術】
【０００２】  従来、アジ等の小魚を使用し、生き餌を泳がせながらアオリイカを釣る為の仕掛で天秤の仕掛のタイプでは、イカ掛け針が浮きそれを掛ける仕組みであるが、合わせの回数に対して捕獲率は低かった。【０００３】  生き餌にイカ釣り針を装着する移動式のタイプの発明では、合わせの回数に対して捕獲率が良かったが、その発明は生き餌の背から斜めに中骨方向へ針を刺しイカを掛ける大型の針を装着していたので生き餌の餌持ちが悪かった。
（特許文献１）
【特許文献１】特許第３４１３７００号公報
【０００４】  生き餌をつけて仕掛を投入する際に、ヒット率から生き餌を元気で長持ちさせるように考えて、負担を掛けないように注意して行っていた。
【発明の開示】
【発明が解決しようとする課題】
【０００５】  イカ掛け針の移動式の作動について、釣り糸の締めが緩いと、生き餌を付けて仕掛を投入する際に、イカ掛け針が生き餌の口元まで移動するように力が働いて、釣り糸が張ってしまい生き餌を泳がせ難くしてしまった。
そして逆に、釣り糸の締めが固いと、アオリイカがヒットした時に、イカ掛け針が移動しない欠点があった。
その原因を調査したところ、釣り糸を締めておくストッパー役のパイプが、温度差によって収縮率が異なることによって緩くなったり固くなったりすることが分った。
そこであまり温度に左右されないストッパーが必要であった。
生き餌を付けて仕掛を振り込む際に、生き餌の負担を減らすこと。
そして使用中も、生き餌がすぐには弱らず、餌持ちが良いこと。
イカの警戒心を減らしヒット率を上げること。
そしてイカを掛ける際、合わせるとイカ掛け針の移動で、それが的確な場所に跳び、針の外れ難い場所に針掛かりし捕獲率を上げること。
餌固定具を変更して、死んでいる餌も使用できること。
【課題を解決するための手段】
【０００６】  釣り糸（２）を二系統として、一方の釣り糸（２）を弛めた状態にして、その部分に弾力部（７）を付ける、そして長さ調節管（３）に通し仮止めまたは固定し餌固定具（５）を付けた、またもう一方の釣り糸（２）は、餌固定具（５）側を通した長さ調節管（３）のもう片方に通しイカ掛け針（１）を付けた、または釣り糸（２）を弛めた状態としないで、釣り糸（２）は切断し弾力部（７）の両端に付けて全体を形成した。
【発明の効果】
【０００７】  イカ掛け針を移動式としても、その作動が確実となったので、生き餌を付けて仕掛を投入した際は固定されて、アオリイカがヒットした時にのみイカ掛け針が作動するようになったので、今まで厄介な欠点は解消された。
生き餌を付けて仕掛を投入する際に、弾力部が伸縮自在であるので、ある程度ショックを柔らげて生き餌の負担を減らすことができた。
そして使用中も、イカ掛針は比較的に小さく背掛けであるので、生き餌がすぐには弱らず、餌持ちが良くなった。
そしてイカを掛ける際、合わせると、イカ掛け針の移動でアオリイカの股や、足の付け根付近の的確な場所に跳び、針の外れ難い場所に針掛かりして捕獲率を上げることができた。
しかも移動位置が的確であればイカ掛針を小型にしても掛かるので、それが目立たず、イカの警戒心を減らしヒット率を上げることができた。
餌固定具を変更することによって、生き餌が入手できない時も死んでいる餌で使用できるので釣りが行えた。
また一本針とした場合は、誤って自分の手に通すことは少なく安全であった。
【発明を実施するための最良の形態】
【０００８】  以下、本発明を実施するための最良の形態について説明する。
構造を、図１に示すように、
釣り糸（２）を二系統として、一方の釣り糸（２）を弛めた状態にして、その部分に弾力部（７）を付ける、そして長さ調節管（３）に通し仮止めまたは固定し餌固定具（５）を付けた、またもう一方の釣り糸（２）は、餌固定具（５）側を通した長さ調節管（３）のもう片方に通しイカ掛け針（１）を付けた。【０００９】  または構造を、図１４に示すように、
釣り糸（２）を弛めた状態としないで、釣り糸（２）は切断し弾力部（７）の両端に付けて全体を形成した。
この本発明を実施するための最良の形態の詳細は、実施例７で述べる。【００１０】  構造の詳細について、弾力部（７）は伸縮自在の材質で、天然ゴム、合成樹脂、合成繊維または図２に示すようにバネ（１７）としたが、金属、樹脂、問わず伸縮自在の材質であれば良い。そして弾力線の数は単数または複数としても良い。
また、取り付け方法を上げると、アルミ製のパイプに、弾力部（７）と釣り糸（２）を挿入して、カシメて固定した。または弾力部（７）と釣り糸（２）を結んでも良いが、取り付けはこの様な方法に限定しない。
弾力部（７）の弾力について、仕掛をポイントに投入する際、弾力部（７）は、限界まで伸ばした長さの約４割りの長さの状態で行える物を使用する。
つまり仕掛をポイントに投入する際は作動せず、それ以上に力が加わると、イカ掛け針（１）が長さ調節管（３）の方向に引っ張られるような弾力とする。
釣り糸（２）は、一例を上げると、４号程度のフロロカーボンのハリスとしたが、掛けるアオリイカ、またはグレードによってサイズ、または材質を変更して良い。
釣り糸（２）の長さにおいて、イカ掛け針（１）側は餌固定具（５）側より長くした。
一例をあげると、生き餌にイカ掛け針（１）をセットした際に、それが引っ張られないように余分に余らせた長さとし、その長さの差は約４０ミリから１２０ミリとして、生き餌のサイズによって変更して行った。
しかし本発明では、フリーサイズを可能としたので詳しくは実施例１で述べる。
また餌固定具（５）側の釣り糸（２）は、絡み難い材質で、ワイヤーや直線記憶の形状記憶合金などでも良い。【００１１】  長さ調節管（３）は、片方の釣り糸（２）が仮止めまたは固定とし、もう片方は自由に動く機能を兼ねるため、合成樹脂性で２系統に分かれているパイプを使用した。
餌固定具（５）側を固定の場合は、木製の楊枝を使用すると水中で膨張し完全固定する。
また仮固定の場合は、釣り糸（２）を通し、滑りの良い材質であるプラスチックの楊枝を使い仮固定した。
また、もう一方のイカ掛け針（１）側は、長さ調節管（３）に通すだけであるが、少しの抵抗を伴って滑る程度が良かった。
餌固定具（５）は、生き餌または生きていない餌を固定するためのもので、釣り針または鼻カン、その他、天秤を使用した。
餌固定具（５）の釣り針は、外れないように返しの付いている物が適し、そして管付または管のないものどちらでも良かった。
一例を上げると、チヌ管付でサイズは、１号から２号程度を使用した。
イカ掛け針（１）は、イカリ針タイプでは、針の数が３本イカリ程度で良く、一例を上げると、イカ用とした物ではないが、鯉スレ用でサイズは８号、またはアユ用でサイズは８号程度を使用した。ただしメーカーにより多少の大きさは異なるが、本発明ではそれ程、問題ではない。
また一本針でも、同程度の針を選択して使用する。
本発明を仕掛の道糸に結ぶ場所は、釣り糸（２）を２系統とした部分に結んで使用したが、係留部（４）を形成しても良い。
例えば、釣り糸（２）で、ちち輪を作り係留部を形成することもできるし、サルカンなどで係留部（４）を形成しても良い。
【実施例１】
【００１２】  以上に記した方法では、生き餌のサイズによってイカ掛け針（１）側の釣り糸（２）の長さを変えて、Ｓ、Ｍ、Ｌ、としなければならなかったが、最も良い方法は、係留部（４）に釣り糸（２）の長さ調節の機能を持たせ、生き餌のサイズに合わせられてフリーサイズとすることである。
それは図３に示すように、真鍮製のパイプを用いて、そこに釣り糸（２）を輪になるように通し真鍮製のパイプを緩くカシメて係留部（４）を形成した。
これで真鍮製パイプのカシメ部分（１９）の中の釣り糸（２）を強く引くことで動かせるので、係留部（４）を大きい輪としたり小さい輪とすることで長さ調節ができた。
それは使用する生き餌のサイズによってイカ掛け針（１）側の長さを餌固定具（５）側と同等に近い長さ、または長くして、生き餌のサイズに合わせられた。
なを、イカ掛け針（１）側の長さを餌固定具（５）側と同等の長さとし、係留部（４）を大きい輪とした状態で、輪の大きさは、半径で約２０ミリとしたところ、一つのサイズでさまざまな大きさの生き餌に対応できるようになった。
【実施例２】
【００１３】  一般的に、生き餌が都合で入手できない時には、死んでいる魚を使用して、それが泳いでいるように見せかけて行っていたが、生き餌に比べ釣果のほうは劣っていた。
それでも釣りになってアオリイカを掛けられた。
そこで本発明は、生き餌の泳がせ釣用として開発したが、本発明でも餌固定具（５）を、死んでいる魚を固定できる様にすることで、そのような釣法ができた。
図４に示すように、
餌固定具（５）は、天秤として、縦のバー（１０）の上部を釣り糸（２）の固定部とした、そしてその下に横方向の先の尖ったバー（１１）を形成し、下部の端にゴム管（１２）を挟んでそこに横のバー（１３）を通して、その先端に調整オモリ（１５）を付けた。
構造は以上で、図５に示すように、使用方法は、死んでいる魚を、先の尖ったバー（１１）を水平に刺して固定する。
そして使用する餌の大きさにより、横のバー（１３）を移動して重量の調整を行い角度を水平にして使用する。
このようにすると、死んでいる魚を、ほぼ水平に固定できて、また他の部分の作用は、生き餌の場合と同様であるのでアオリイカはヒットして釣れた。
【実施例３】
【００１４】  長さ調節管（３）は、片方の釣り糸（２）が固定と仮止めと、もう片方は自由に動く機能を兼ねるため、合成樹脂性で２系統に分かれているパイプを使用したが他の方法では、図６に示すように、
長さ調節管（３）は、パイプを二重として、餌固定具（５）側の釣り糸（２）を外側のパイプ（８）と内側のパイプ（９）との間に挟んだ、そしてイカ掛け針（１）側の釣り糸（２）は、そのパイプを二重とした中心に通した。
そして餌固定具（５）側の釣り糸（２）を仮止め、または接着材を使用し固定ができた。このようにしてもイカ掛け針（１）側は旨く作動できて、パイプを２系統に分けたのと同様の効果があった。
【実施例４】
【００１５】  針掛り率を上げるための対策として、図７に示すように、
イカ掛け針（１）に、またはその近くの釣り糸（２）にオモリ（１６）を取り付けた。
このようにすることで、加速度と重量の関係から、アオリイカに針が刺さる時に弾みにくくなり針掛が良くなった。
【実施例５】
【００１６】  糸絡み防止の対策として、構造を図８に示すように，
長さ調節管（３）を、糸絡み防止用に複数とり付けた。
このようにするだけで、絡み防止の効果があった。【００１７】  本発明の作用を説明する。
取扱について全体の仕掛は、一般的にウキ釣り仕掛である。
図９に示すように、その仕掛の構成は、ウキ下の道糸を、本発明の釣り糸（２）を二系統とした部分、または係留部（４）に結んで使用する。
使用方法は、調節管（３）が仮固定の場合は、生き餌の口元から上に４，５センチ開けセットするが、固定の場合はセットしてあるので、そのまま使用する。
そして生き餌の魚の口に餌固定具（５）の針を掛ける。または鼻カンの場合は鼻に通す。
そしてイカ釣り針（１）を魚の背ビレの皮の部分に浅く通し、針を立て固定する。【００１８】  従来、仕掛をポイントに投入する際に、生き餌が死んでしまうとアオリイカの喰いが落ちてしまうので、その際には、釣竿の弾力を利用し注意して行っていたが、本発明によって弾力部（７）の弾力によって伸縮するので振込みのショックは柔らいで、生き餌の負担を減らすことができた。
それで生き餌の餌持ちを良くする一因となった。
生き餌が泳ぐ際は、釣り糸（２）の長さに余裕を持たせてあるので、イカ掛け針（１）は生き餌を引っ張ることはなく、餌固定具（５）にのみ拘束されるので良く泳いだ。【００１９】  本発明が、イカのいる棚まで着き、アオリイカが生き餌を抱き被っている状態にあるとウキに反応が出るので、それから数秒待って合わせる。
図１０で示すように、合わせを入れると、アオリイカが乗っているので、二系統に分けたうちの餌固定具（５）側の弾力部（７）が伸びる、そして餌固定具（５）側の全体が伸びる。
その際にイカ掛け針（１）側は伸びないので、合わせに伴い長さ調節管（３）の方向に引っ張られる。
するとイカ掛け針（１）は、生き餌の魚の背ビレの皮に浅く通し固定した状態であるので、そこから外れ、長さ調節管（３）の方向に跳んで行く。
イカ掛け針（１）側は釣り糸（２）に余裕をもった長さとしているが、それ以上の長さを引かれるため、そのように作動する。
図１０で示すように、イカ掛け針（１）が移動して跳んでいく場所は、長さ調節管（３）が付け餌の魚の頭上よりも高い位置としたので、アオリイカの股や、足の付け根付近の的確な場所に跳び、針の外れ難い場所に針掛かりして捕獲率を上げるこができた。
尚、アオリイカは、主に頭の脳みそを齧って、その位置にいる状態であるので、長さ調節管（３）はその位置とした。【００２０】  その他、長さ調節管（３）が付け餌の魚の頭上よりも高い位置としたので、イカ掛け針（１）の跳ぶ角度が良く、針掛かり率が良くなりイカ掛け針をイカリ針の小型のもの、または図１１に示すように一本針とした場合でも使用できた。
生き餌の口にイカ掛け針が移動する方法では、イカ掛け針（１）の跳ぶ角度が水平であるので大きい針でないと針掛かりは少し難しい。
また、イカ掛け針を小型にできるメリットは、それが目立たないのでイカの警戒心を減らしヒット率を上げることができ、特に日中に効果を発揮した。
その他、一本針とした場合は、誤って自分の手に通すことは少なく安全である。【００２１】  長さ調節管（３）の釣り糸（２）の仮止と固定について、
長さ調節管（３）の釣り糸（２）を固定とすると、合わせをした際に、長さ調節管（３）に向かいイカ掛け針（１）が移動して跳んでくるが、長さ調節管（３）で止まる。
これを仮止とすると、合わせをした際に、長さ調節管（３）に向かいイカ掛け針（１）が移動して跳んでくるが、さらに合わせと同じように引くと、長さ調節管（３）とイカ掛け針（１）が更に上の方向に上がってくる。
そこで開発の当初は、更なる針掛かりとなり、アオリイカにくい込むと考えたが、実際にやってみると、長さ調節管（３）でイカ掛け針（１）が止まる位置まで移動するだけで、十分な効果があった。
そこで、長さ調節管（３）の釣り糸（２）の仮止と固定については、同様の効果があった。
ただし、それが仮止の場合、長さ調節管（３）の位置決定において、釣り人の主観が入れられる。
【実施例６】
【００２２】  本発明では、イカ掛け針（１）を長さ調節管（３）に通してから付けているが、
長さ調節管（３）とイカ掛け針（１）の間に逆さ針を（１８）を追加して付けても良い。
それは図１２に示すように
釣り糸（２）は、長さ調節管（３）に通しそして逆さ針（１８）を介してイカ掛け針（１）を付ける。
逆さ針（１８）は、一例を上げると袖の細いヤマメ針６号を仕様したが、これはヤマメ針に限定されず小型の袖の細いもので良い。
また逆さ針（１８）とイカ掛け針（１）の間の釣り糸（２）は、弾力線に変更すると真っ直ぐになって一本針を立てて使用するのに都合がよかった。
弾力線は、一例をあげると、合成樹脂弾力線で０．６ミリ線を、またはニッケルとチタンの合金で直線記憶の形状記憶合金０．３ミリを使用した。【００２３】  この実施例の作用であるが、図１３に示すように、
前記した本発明の作用で、イカ掛け針（１）を生き餌の魚の背ビレの皮に浅く通し固定したが、同じ位置に逆さ針（１８）を刺して固定する。
そして合わせを入れると長さ調節管（３）の方向に逆さ針（１８）が抜け、それと同時にイカ掛け針（１）が跳んで行く。
イカ掛け針（１）が跳んでいく場所は、同様に長さ調節管（３）方向に向かい角度を伴って跳んでいく。
イカ掛け針（１）は、イカリ針タイプでも一本針のどちらも使用できた。
このようにしても、アオリイカを掛けられて同様の効果があった。
なを、逆さ針（１８）に、直にイカ掛け針（１）を付けても同様の効果があった。
【実施例７】
【００２４】  本発明では、釣り糸（２）を二系統として、餌固定具（５）側の釣り糸（２）を弛めた状態としていたが、この実施例では、餌固定具（５）側の釣り糸（２）は弛めた状態にしないで切断し、それを弾力部（７）の両端に付け全体を形成した。
図１４、図１５に示すように、
つまり、弾力部（７）の両端に付けた釣り糸（２）から、一方は長さ調節管（３）に通し仮止めまたは固定し餌固定具（５）を付けた、もう一方の釣り糸（２）は、道糸の係留場所を介して餌固定具（５）側を通した長さ調節管（３）のもう片方に通しイカ掛け針（１）を付けた。【００２５】  この実施例を使用して、餌固定具（５）側の釣り糸（２）を、長さ調節管（３）に固定しておくと、弾力部（７）が伸びきって破損するということはない。
合わせをするとイカ掛け針（１）は長さ調節管（３）の方に跳んでくるが、長さ調節管（３）の孔径が小さいので、イカ掛け針（１）は、そこに引っ掛り止まる。
そして、それ以上は引けないので、弾力部（７）を破損することはない。
またこのようにしても実施例１、実施例２、実施例３、実施例４、実施例５、実施例６とも全て使用することができた。
この実施例でも、前記した二系統のうち一方の釣り糸（２）を弛めた状態にした発明と共通の部品を使用し、同様の効果があった。
【実施例８】
【００２６】  図１６に示すように、
弾力部（７）の両端に、輪（２０）を作り、そこにスナップ（２１）を通し、そのスナップ（２１）に釣り糸（２）を付けて全体を形成した。
または図１７に示すように、
釣り糸（２）を弛めた状態として、弾力部（７）を取り付けて、その両端に、輪（２０）を作り、そこにスナップ（２１）を通し、そのスナップ（２１）に釣り糸（２）を付けて全体を形成した。
このようにすると、弾力部（７）が劣化した場合に簡単に交換ができた。
【図面の簡単な説明】
【００２７】
【図１】本発明の斜視図
【図２】本発明の実施例、弾力部をバネとした説明図
【図３】本発明の実施例、釣り糸で輪を作りパイプで緩くカシメて係留部を形成した説明図
【図４】本発明の実施例、生き餌以外を使用する天秤を形成した餌固定具の説明図
【図５】本発明の実施例、餌固定具を天秤とし生き餌以外を使用する状態の説明図
【図６】本発明の実施例、長さ調節管は、パイプを二重とした説明図
【図７】本発明の実施例、イカ掛け針にオモリを取り付けた説明図
【図８】本発明の実施例、長さ調節管を、絡み防止用に複数とりつけた説明図
【図９】本発明の実施例、生き餌の魚に取り付ける状態を示す説明図
【図１０】本発明の実施例、イカ釣り針が長さ調節管付近まで移動した状態の説明図
【図１１】本発明の実施例、イカ釣り針を一本針とした状態を示す説明図
【図１２】本発明の実施例、長さ調節管とイカ掛け針の間に、逆さ針を付けた説明図
【図１３】本発明の実施例、逆さ針を、生き餌に刺して固定する状態を示す説明図
【図１４】本発明の実施例、餌固定具側の釣り糸を弾力部の両端に付けた説明図
【図１５】本発明の実施例、餌固定具側の釣り糸を弾力部の両端に付け使用する状態の説明図
【図１６】本発明の実施例、弾力部の交換用にスナップをつけた説明図
【図１７】本発明の実施例、弛めた釣り糸に弾力部を付け、交換用にスナップをつけた説明図
【符号の説明】
【００２８】１イカ掛け針、２釣り糸、３長さ調節管、４係留部、５餌固定具、６道糸、７弾力部、８外側のパイプ、９内側のパイプ、１０縦のバー、１１先の尖ったバー、１２ゴム管、１３横のバー、１４楊枝、１５調整オモリ、１６オモリ、１７バネ、１８逆さ針、１９カシメ部、２０弾力部の輪、２１スナップ
【図１】
2010158231.tif 000003
【図２】
2010158231.tif 000004
【図３】
2010158231.tif 000005
【図４】
2010158231.tif 000006
【図５】
2010158231.tif 000007
【図６】
2010158231.tif 000008
【図７】
2010158231.tif 000009
【図８】
2010158231.tif 000010
【図９】
2010158231.tif 000011
【図１０】
2010158231.tif 000012
【図１１】
2010158231.tif 000013
【図１２】
2010158231.tif 000014
【図１３】
2010158231.tif 000015
【図１４】
2010158231.tif 000016
【図１５】
2010158231.tif 000017
【図１６】
2010158231.tif 000018
【図１７】
2010158231.tif 000019